(57)【特許請求の範囲】
【請求項１】
複数の壁材が側端部を突き合わせた状態で固定されているとともに、表面が弾性塗材に被覆されて無目地である壁の施工方法であって、
複数の壁材の側端部を突き合わせた状態で固定し、該壁材の側端部の突き合わせ部分に、弾性目地処理材充填用ポケットを形成する工程と、
上記弾性目地処理材充填用ポケットに弾性目地処理材を充填する工程と、
上記壁材と上記弾性目地処理材の表面を、弾性塗料で被覆する工程とからなり、
弾性目地処理材充填用ポケットを形成する工程において、該弾性目地処理材充填用ポケットは、上記壁材の表面よりも低く、該壁材の側端部の突き合わせ部分に沿って延びた凹部と、該凹部の外側端部から該壁材の側端部に向かって傾斜をなしている傾斜部により、該壁材の側端部の突き合わせ部分を中心として、３０〜１００mmの幅で、該壁材の側端部の突き合わせ部分に沿って延びるよう形成し、
弾性目地処理材充填用ポケットに弾性目地処理材を充填する工程において、弾性目地処理材として、ポリチオウレタン系、ポリウレタン系、アクリル系、アクリルウレタン系、変成シリコーン系、ポリサルファイド系、変成ポリサルファイド系のいずれかを使用し、該弾性目地処理材を該弾性目地処理材充填用ポケットを充填するようにのみ配し、該弾性目地処理材の内部には、該弾性目地処理材が貫通可能な開口を多数有し、かつ、弾性目地処理材充填用ポケットの幅よりも小さい幅の網目状体を配置するとともに、該弾性目地処理材の表面の高さを、上記壁材の表面の高さと揃え、
壁材と上記弾性目地処理材の表面を、弾性塗料で被覆する工程において、弾性塗材として、アクリル系、アクリルシリコーン系、ウレタン系、変成シリコーン系のいずれかを使用し、壁材と弾性目地処理材の表面を被覆する弾性塗材の量を２〜６kg／ｍ２とする
ことを特徴とする壁の施工方法。
【請求項２】
前記弾性目地処理材充填用ポケットを形成する工程において、前記壁材の側端部の突き合わせ部分に沿って延びた凹部は、該壁材の表面と０．２〜０．７mmの段差を有するよう形成する
ことを特徴とする請求項１に記載の壁の施工方法。
【請求項３】
前記弾性目地処理材充填用ポケットに弾性目地処理材を充填する工程において、前記網目状体として、表面に１cm２あたり３〜９個の前記開口を有する網目状体を使用し、該開口には該弾性目地処理材を充填する
ことを特徴とする請求項１又は請求項２に記載の壁の施工方法。
【発明の詳細な説明】
【技術分野】
【０００１】
本発明は、表面が弾性塗材に被覆されて無目地である壁の施工方法に関するものである。
【背景技術】
【０００２】
従来より、窯業系サイディングボード、金属系サイディングボード、ＡＬＣボードなどの壁材を、複数枚、住宅に施工して、外壁や内壁などの壁面を形成することが行われている。しかし、壁材同士の突き合わせ部分には目地線が生じ、外観を損ねる。そこで、該目地線を無くし、無目地状に仕上げることが検討されている。
【０００３】
たとえば、非特許文献１には、壁材の突き合わせ部分に弾性目地処理材を展着し、その上に網体を配置し、更にその上を弾性目地処理材を被覆し、更にその上に弾性塗料を塗布して無目地とした外壁構造が記載されている。
【０００４】
また、特許文献１には、弾性目地処理材は、有機溶剤の含有量が５重量％未満であり、脂肪族ジイソシアネート化合物及び／又は脂環式ジイソシアネート化合物と活性水素含有化合物と反応させて得た１分子当り２個以上のイソシアネート基を含有するウレタンポリマーと、加水分解により１分子当り２個以上のチオール基を生成する化合物とからなり、イソシアネート基とチオール基が反応しチオウレタン結合を形成する１成分硬化型弾性組成物であることが記載されている。また、該弾性目地処理材を用いた、無目地の外壁構造も記載されている。
【０００５】
更に、特許文献２には、壁材の突き合わせ部分に生じる目地線に沿った長径部と、目地線に直交する方向に沿うと共に該長径部よりも短い短径部とからなる開口部分を有し、かつ１cm２あたりの開口数が１０〜６０個である網体を用いた、無目地の外壁構造が記載されている。
【０００６】
しかし、従来の無目地の壁構造では、壁材の突き合わせ部分に弾性目地処理材が展着し、その上に網体が配置され、更にその上を弾性目地処理材が被覆した上で、壁材の全体に弾性塗料が塗布されて無目地となっているので、弾性塗料が塗布される前の壁材の突き合わせ部分は、他の部分よりも弾性目地処理材と網体の厚さだけ高くなっている。そのため、弾性塗料が塗布されると、壁材の突き合わせ部分に不陸が発生し、斜光によっては不陸影が発生し、外観の意匠を低下させることがある。
壁材の突き合わせ部分の不陸を解消するには、弾性目地処理材の上の弾性塗料を少なくし、他の部分の弾性塗料を多くする必要がある。しかし、弾性塗料の塗布量を調整して、平滑な表面を形成させることは難しい。特に、弾性塗料を吹き付け塗装する場合には、塗布量の調整が難しく、平滑な表面を形成させることは困難であった。
【先行技術文献】
【特許文献】
【０００７】
【特許文献１】特開２００１−２５４４９８号公報
【特許文献２】特開２００２−１４６９９０平号公報
【非特許文献１】実用新案登録第２５９２５０１号公報
【発明の概要】
【発明が解決しようとする課題】
【０００８】
本発明は、かかる従来の課題に鑑みたものであり、複数の壁材が側端部を突き合わせた状態で固定され、該壁材の表面は弾性塗材に被覆されて無目地であるにもかかわらず、該壁材の突き合わせ部分の不陸が小さい壁の施工方法を提供するものである。
【課題を解決するための手段】
【０００９】
本発明は、複数の壁材が側端部を突き合わせた状態で固定されているとともに、表面が弾性塗材に被覆されて無目地であるにもかかわらず、該壁材の突き合わせ部分の不陸が小さい壁の施工方法を提供するものである。本発明は、複数の壁材の側端部を突き合わせた状態で固定し、該壁材の側端部の突き合わせ部分に、弾性目地処理材充填用ポケットを形成する工程と、該弾性目地処理材充填用ポケットに弾性目地処理材を充填する工程と、該壁材と該弾性目地処理材の表面を、弾性塗料で被覆する工程とからなる。そして、弾性目地処理材充填用ポケットは、壁材の表面よりも低く、かつ、該壁材の側端部の突き合わせ部分を中心として、３０〜１００mmの幅で、該壁材の側端部の突き合わせ部分に沿って延びるよう形成する。弾性目地処理材は、弾性目地処理材充填用ポケットを充填するようにのみ配するとともに、内部には、該弾性目地処理材が貫通可能な開口を多数有する網目状体を配置し、表面の高さは、壁材の表面の高さと揃える。なお、網目状体を弾性目地処理材の内部に配置することは、壁材の突き合わせ部分に弾性目地処理材を展着し、その上に網目状体を配置し、更にその上を該弾性目地処理材で被覆することなどにより構築される。弾性目地処理材の表面加工は、該弾性目地処理材が配された後に、表面をヘラなどによりならしたり押さえることなどにより形成される。
本発明において、壁材は、木繊維補強セメント板、繊維補強セメント板、繊維補強セメント・ケイ酸カルシウム板などの窯業系サイディングボード、金属系サイディングボード、ＡＬＣボードなどである。
網目状体は、無機物あるいは有機物で作製した網や、織物、編み物、シートなどである。ポリエステル、ナイロン、テトロン、天然繊維などの伸縮可能な材料により製造された網目状体であると、壁材の経年による伸縮に対応することができるので、好ましい。
弾性目地処理材は、ポリチオウレタン系、ポリウレタン系、アクリル系、アクリルウレタン系、変成シリコーン系、ポリサルファイド系、変成ポリサルファイド系などの弾力性のある目地処理材である。
弾性塗材は、アクリル系、アクリルシリコーン系、ウレタン系、変成シリコーン系などの耐候性、弾力性、耐水性に優れた塗材である。
本発明においては、複数の壁材の側端部を突き合わせた状態で固定するが、該壁材の側端部の突き合わせ部分には弾性目地処理材充填用ポケットを形成し、該弾性目地処理材充填用ポケットを充填するようにのみ弾性目地処理材を配する。そして、弾性目地処理材の表面の高さは、壁材の表面の高さと揃え、該壁材と該弾性目地処理材の表面は、弾性塗料により被覆するので、壁の表面には、該壁材同士の突き合わせによる目地線が発生せず、無目地であるとともに、該壁材の突き合わせ部分の不陸が小さい壁を提供することができる。また、弾性目地処理材の内部には、該弾性目地処理材が貫通可能な開口を多数有した網目状体を配置するので、該弾性目地処理材は補強され、壁材の側端部の突き合わせ部分の経年の伸縮が抑えられ、該弾性塗材にクラックが生じにくい。
なお、本発明においては、弾性目地処理材充填用ポケットは、壁材の表面よりも低く、かつ、該壁材の側端部の突き合わせ部分を中心として、３０〜１００mmの幅で、該壁材の側端部の突き合わせ部分に沿って延びるよう形成する。弾性目地処理材充填用ポケットの幅が３０mmより小さいと、十分な量の弾性目地処理材を配することができず、壁材の突き合わせ部分の経年の伸縮を抑えることができない。一方、弾性目地処理材充填用ポケットの幅が１００mmより大きいと、弾性目地処理材の配置面積が多すぎて、表面の高さを揃えることが難しくなり、壁材の突き合わせ部分の不陸を小さくできない懸念が発生する。
【００１０】
また、本発明において、弾性目地処理材充填用ポケットの内にある、壁材の側端部の突き合わせ部分を、該弾性目地処理材充填用ポケットの他の部分よりも低く形成するので、該壁材の側端部の突き合わせ部分により多くの弾性目地処理材が配されることとなり、より該壁材の突き合わせ部分の経年の伸縮を抑えることができる。
【００１１】
更に、本発明においては、弾性目地処理材充填用ポケットは、壁材の表面と０．２〜０．７mmの段差を有するように形成すると、弾性目地処理材充填用ポケットに弾性目地処理材と網目状体が確実に配されるとともに、弾性目地処理材充填用ポケットを充填している弾性目地処理材の表面の高さを壁材の表面の高さと揃えやすいので、好ましい。なお、弾性目地処理材充填用ポケットは、壁材の表面から該壁材の突き合わせ部分に向かって傾斜する面を有するように形成するので、弾性目地処理材充填用ポケットを充填している弾性目地処理材の表面の高さは壁材の表面の高さと揃えやすい。
【００１２】
更に、本発明においては、弾性目地処理材充填用ポケットの幅よりも小さい幅の網目状体を使用するので、該弾性目地処理材充填用ポケットに該網目状体が確実に配され、壁材の突き合わせ部分の経年の伸縮を抑える。
【００１３】
更に、本発明においては、表面に１cm２あたり３〜９個の開口を有する網目状体を使用し、該開口に弾性目地処理材を充填すると、該網目状体の上下に配された該弾性目地処理材が一体化するとともに、該網目状体と該弾性目地処理材の接触面積が多くなり、該網目状体と該弾性目地処理材が剥がれにくくなる。それにより、より壁材の側端部の突き合わせ部分の経年の伸縮が抑えられ、弾性塗材にクラックが生じにくくなるので、好ましい。開口が１cm２あたり３個より少ないと、網目状体の上下に配された弾性目地処理材の一体化が十分ではなく、壁材の側端部の突き合わせ部分の経年の伸縮を十分に抑えられず、弾性塗材にクラックが生じる懸念がある。一方、開口が１cm２あたり９個より多いと、弾性目地処理材が該開口を十分に貫通することができず、該網目状体が該弾性目地処理材の表面に浮き出し、外観に影響を与える懸念がある。
【００１４】
更に、本発明においては、壁材と弾性目地処理材の表面を被覆している弾性塗材の量を２〜６kg／ｍ２にするので、壁が耐候性、耐水性に優れ、該壁材の経年の伸縮に対応することができるとともに、該壁材の突き合わせ部分の不陸を小さくすることができる。
【発明の効果】
【００１５】
本発明によれば、複数の壁材が側端部を突き合わせた状態で固定され、該壁材の表面は弾性塗材に被覆されて無目地であるにもかかわらず、該壁材の突き合わせ部分の不陸が小さい壁の施工方法を提供することができる。
【図面の簡単な説明】
【００１６】
【図１】図１は、壁の施工方法の一参考例により施工された施工構造における、壁材の突き合わせ部分付近の構造を示す斜視説明図である。
【図２】図２は、壁の施工方法の他の参考例により施工された施工構造における、壁材の突き合わせ部分付近の構造を示す斜視説明図である。
【図３】図３は、壁の施工方法の更に他の参考例により施工された施工構造における、壁材の突き合わせ部分付近の構造を示す斜視説明図である。
【図４】図４は、本発明にかかる壁の施工方法の一実施例により施工された施工構造における壁材の突き合わせ部分付近の構造を示す斜視説明図である。
【図５】図５は、壁の施工方法の更に他の参考例により施工された施工構造における壁材の突き合わせ部分付近の構造を示す斜視説明図である。
【図６】図６は、壁の施工方法の更に他の参考例により施工された施工構造における壁材の突き合わせ部分付近の構造を示す斜視説明図である。
【発明を実施するための形態】
【００１７】
以下、図面を参照しながら本発明について詳細に説明する。
【００１８】
図１は、壁の施工方法の一参考例により施工された施工構造における、壁材の突き合わせ部分付近の構造を示す斜視説明図である。
図１に示す壁構造では、厚さ１４mm、幅９１０mm、長さ３０３０mmで、右側端部ｂ１１に上実部を有し、左側端部ｂ５１に下実部を有する木繊維補強セメント板Ｂ１を壁材として、ポリチオウレタン系目地処理材Ｃ１を弾性目地処理材として、厚さ０．２mm、幅５０mmで、表面に貫通した開口ｄ１を１cm２あたり５個有するポリエステル製シートＤ１を網目状体として、アクリル系弾性塗材Ｅ１を弾性塗材として用いている。
まず、２枚の木繊維補強セメント板Ｂ１、Ｂ１を、互いにその側端部を突き合わせた状態で、釘（図示せず）により下地材Ａに固定する。なお、木繊維補強セメント板Ｂ１は、右側端部ｂ１１に上実部を、左側端部ｂ５１に下実部を有するので、側端部を突き合わせた状態とは、互いの実部が合決りしている状態である。そして、木繊維補強セメント板Ｂ１は、右側端部の表面には、３０mmの幅で、木繊維補強セメント板Ｂ１、Ｂ１の突き合わせ方向に沿って延びており、木繊維補強セメント板Ｂ１の表面よりも０．５mm低い弾性目地処理材充填用凹部ｂ２１と、弾性目地処理材充填用凹部ｂ２１の内側端部から木繊維補強セメント板Ｂ１の表面に向かって垂直をなしている弾性目地処理材充填用垂直部ｂ３１を有する。更に、木繊維補強セメント板Ｂ１は、左側端部の表面には、３０mmの幅で、木繊維補強セメント板Ｂ１、Ｂ１の突き合わせ方向に沿って延びており、木繊維補強セメント板Ｂ１の表面よりも０．５mm低い弾性目地処理材充填用凹部ｂ６１と、弾性目地処理材充填用凹部ｂ６１の内側端部から木繊維補強セメント板Ｂ１の表面に向かって垂直をなしている弾性目地処理材充填用垂直部ｂ７１を有する。そのため、木繊維補強セメント板Ｂ１、Ｂ１の互いの側端部を突き合わせることにより、突き合わせ部分の表面には、弾性目地処理材充填用凹部ｂ２１と、弾性目地処理材充填用垂直部ｂ３１と、弾性目地処理材充填用凹部ｂ６１と、弾性目地処理材充填用垂直部ｂ７１により、６０mmの幅で、突き合わせ部分に沿って延びた空間が形成される。該空間が弾性目地処理材充填用ポケットである。
次に、弾性目地処理材充填用ポケットにポリチオウレタン系目地処理材Ｃ１を配し、その上に該弾性目地処理材充填用ポケットの幅より小さい幅のポリエステル製シートＤ１を配置し、更にその上をポリチオウレタン系目地処理材Ｃ１で被覆する。なお、ポリチオウレタン系目地処理材Ｃ１は、弾性目地処理材充填用ポケットを充填するようにのみ配する。それにより、弾性目地処理材充填用ポケットには、ポリチオウレタン系目地処理材Ｃ１が充填される。また、ポリエステル製シートＤ１は、表面に、貫通した開口ｄ１を１cm２あたり５個有しているが、開口ｄ１にも、ポリチオウレタン系目地処理材Ｃ１が充填される。そして、弾性目地処理材充填用ポケットを充填しているポリチオウレタン系目地処理材Ｃ１の表面の高さを、突き合わせられた木繊維補強セメント板Ｂ１、Ｂ１の表面の高さに揃える。
更に、木繊維補強セメント板Ｂ１、Ｂ１とポリチオウレタン系目地処理材Ｃ１の表面に、アクリル系弾性塗材Ｅ１を２kg／ｍ２以上となるように塗布して、木繊維補強セメント板Ｂ１、Ｂ１とポリチオウレタン系目地処理材Ｃ１の表面全てをアクリル系弾性塗材Ｅ１で覆う。なお、木繊維補強セメント板Ｂ１の表面を覆うアクリル系弾性塗材Ｅ１の表面の高さは、ポリチオウレタン系目地処理材Ｃ１の表面を覆うアクリル系弾性塗材Ｅ１の表面の高さに揃える。
よって、本参考例によれば、２枚の木繊維補強セメント板Ｂ１、Ｂ１は、互いにその側端部を突き合わせた状態で固定されているが、木繊維補強セメント板Ｂ１、Ｂ１の側端部の突き合わせ部分の表面には、６０mmの幅で、突き合わせ部分に沿って延びた、木繊維補強セメント板Ｂ１の表面よりも０．５mm低い弾性目地処理材充填用ポケットが形成されており、該弾性目地処理材充填用ポケットを充填するようにのみポリチオウレタン系目地処理材Ｃ１が配されている。そして、ポリチオウレタン系目地処理材Ｃ１の表面の高さは、木繊維補強セメント板Ｂ１、Ｂ１の表面の高さと揃えてあり、木繊維補強セメント板Ｂ１、Ｂ１とポリチオウレタン系目地処理材Ｃ１の表面は、２kg／ｍ２以上の量のアクリル系弾性塗材Ｅ１により被覆されている。そのため、壁の表面には、木繊維補強セメント板Ｂ１、Ｂ１同士の突き合わせによる目地線が発生せず、無目地であるとともに、木繊維補強セメント板Ｂ１、Ｂ１の突き合わせ部分の不陸は小さい。また、木繊維補強セメント板Ｂ１、Ｂ１の側端部の突き合わせ部分に十分な量のポリチオウレタン系目地処理材Ｃ１が配置され、更にその上に十分な量のアクリル系弾性塗材Ｅ１が配置されることとなり、木繊維補強セメント板Ｂ１、Ｂ１の側端部の突き合わせ部分の経年の伸縮は抑えられ、アクリル系弾性塗材Ｅ１にはクラックが生じにくい。
更に、ポリチオウレタン系目地処理材Ｃ１の内部には、表面に、貫通した開口ｄ１を１cm２あたり５個有したポリエステル製シートＤ１が、開口ｄ１にポリチオウレタン系目地処理材Ｃ１が充填された状態で配置されているので、ポリチオウレタン系目地処理材Ｃ１とポリエステル製シートＤ１は一体化し、ポリチオウレタン系目地処理材Ｃ１が補強されて、木繊維補強セメント板Ｂ１、Ｂ１の側端部の突き合わせ部分の経年の伸縮はより抑えられ、アクリル系弾性塗材Ｅ１にはクラックが更に生じにくい。
【００１９】
図２は、壁の施工方法の他の参考例により施工された施工構造における、壁材の突き合わせ部分付近の構造を示す斜視説明図である。
図２に示す壁構造では、厚さ１４mm、幅９１０mm、長さ３０３０mmで、右側端部ｂ１２に上実部を有し、左側端部ｂ５２に下実部を有する木繊維補強セメント板Ｂ２を壁材として、ポリチオウレタン系目地処理材Ｃ２を弾性目地処理材として、厚さ０．２mm、幅５０mmで、表面に貫通した開口ｄ１を１cm２あたり５個有するポリエステル製シートＤ１を網目状体として、アクリル系弾性塗材Ｅ２を弾性塗材として用いており、弾性目地処理材充填用ポケットの形状が図１に示す壁構造と異なる。
まず、右側端部ｂ１２に上実部を、左側端部ｂ５２に下実部を有する２枚の木繊維補強セメント板Ｂ２、Ｂ２を、互いの実部が合決りしている状態で、釘（図示せず）により下地材Ａに固定する。なお、木繊維補強セメント板Ｂ２は、右側端部の表面には、３０mmの幅で、木繊維補強セメント板Ｂ２、Ｂ２の突き合わせ方向に沿って延びており、木繊維補強セメント板Ｂ２の表面よりも０．５mm低い弾性目地処理材充填用凹部ｂ２２と、４mmの幅で、弾性目地処理材充填用凹部ｂ２２の内側端部から木繊維補強セメント板Ｂ２の表面に向かって傾斜をなしている弾性目地処理材充填用傾斜部ｂ３２を有する。更に、木繊維補強セメント板Ｂ２は、左側端部の表面には、３０mmの幅で、木繊維補強セメント板Ｂ２、Ｂ２の突き合わせ方向に沿って延びており、木繊維補強セメント板Ｂ２の表面よりも０．５mm低い弾性目地処理材充填用凹部ｂ６２と、４mmの幅で、弾性目地処理材充填用凹部ｂ６２の内側端部から木繊維補強セメント板Ｂ２の表面に向かって傾斜をなしている弾性目地処理材充填用傾斜部ｂ７２を有する。そのため、木繊維補強セメント板Ｂ２、Ｂ２の互いの側端部を突き合わせることにより、突き合わせ部分の表面には、弾性目地処理材充填用凹部ｂ２２と、弾性目地処理材充填用傾斜部ｂ３２と、弾性目地処理材充填用凹部ｂ６２と、弾性目地処理材充填用傾斜部ｂ７２により、６８mmの幅で、突き合わせ部分に沿って延びた空間が形成される。該空間が弾性目地処理材充填用ポケットである。
次に、弾性目地処理材充填用ポケットに、ポリチオウレタン系目地処理材Ｃ２を配し、その上に該弾性目地処理材充填用ポケットの幅より小さい幅のポリエステル製シートＤ１を配置し、更にその上をポリチオウレタン系目地処理材Ｃ２で被覆する。なお、ポリチオウレタン系目地処理材Ｃ２は、該弾性目地処理材充填用ポケットを充填するようにのみ配する。それにより、弾性目地処理材充填用ポケットには、ポリチオウレタン系目地処理材Ｃ２が充填される。また、ポリエステル製シートＤ１は、表面に、貫通した開口ｄ１を１cm２あたり５個有しているが、開口ｄ１にも、ポリチオウレタン系目地処理材Ｃ２が充填される。そして、弾性目地処理材充填用ポケットを充填しているポリチオウレタン系目地処理材Ｃ２の表面の高さを、突き合わせられた木繊維補強セメント板Ｂ２、Ｂ２の表面の高さに揃える。
更に、木繊維補強セメント板Ｂ２、Ｂ２とポリチオウレタン系目地処理材Ｃ２の表面に、アクリル系弾性塗材Ｅ２を２kg／ｍ２以上となるように塗布して、木繊維補強セメント板Ｂ２、Ｂ２とポリチオウレタン系目地処理材Ｃ２の表面全てをアクリル系弾性塗材Ｅ２で覆う。なお、木繊維補強セメント板Ｂ２の表面を覆うアクリル系弾性塗材Ｅ２の表面の高さは、ポリチオウレタン系目地処理材Ｃ２の表面を覆うアクリル系弾性塗材Ｅ２の表面の高さに揃える。
よって、本参考例によれば、２枚の木繊維補強セメント板Ｂ２、Ｂ２は、互いにその側端部を突き合わせた状態で固定されているが、木繊維補強セメント板Ｂ２、Ｂ２の側端部の突き合わせ部分の表面には、６８mmの幅で、突き合わせ部分に沿って延びた、木繊維補強セメント板Ｂ２の表面よりも０．５mm低い弾性目地処理材充填用ポケットが形成されており、該弾性目地処理材充填用ポケットを充填するようにのみポリチオウレタン系目地処理材Ｃ２が配されている。そして、ポリチオウレタン系目地処理材Ｃ２の表面の高さは、木繊維補強セメント板Ｂ２、Ｂ２の表面の高さと揃えてあり、木繊維補強セメント板Ｂ２、Ｂ２とポリチオウレタン系目地処理材Ｃ２の表面は、２kg／ｍ２以上の量のアクリル系弾性塗材Ｅ２により被覆されている。そのため、壁の表面には、木繊維補強セメント板Ｂ２、Ｂ２同士の突き合わせによる目地線が発生せず、無目地であるとともに、木繊維補強セメント板Ｂ２、Ｂ２の突き合わせ部分の不陸は小さい。また、木繊維補強セメント板Ｂ２、Ｂ２の側端部の突き合わせ部分に十分な量のポリチオウレタン系目地処理材Ｃ２が配置され、更にその上に十分な量のアクリル系弾性塗材Ｅ２が配置されることとなり、木繊維補強セメント板Ｂ２、Ｂ２の側端部の突き合わせ部分の経年の伸縮は抑えられ、アクリル系弾性塗材Ｅ２にはクラックが生じにくい。
更に、ポリチオウレタン系目地処理材Ｃ２の内部には、表面に、貫通した開口ｄ１を１cm２あたり５個有したポリエステル製シートＤ１が、開口ｄ１にポリチオウレタン系目地処理材Ｃ２が充填された状態で配置されているので、ポリチオウレタン系目地処理材Ｃ２とポリエステル製シートＤ１は一体化し、ポリチオウレタン系目地処理材Ｃ２が補強されて、木繊維補強セメント板Ｂ２、Ｂ２の側端部の突き合わせ部分の経年の伸縮はより抑えられ、アクリル系弾性塗材Ｅ２にはクラックが更に生じにくい。
【００２０】
図３は、壁の施工方法の更に他の参考例により施工された施工構造における、壁材の突き合わせ部分付近の構造を示す斜視説明図である。
図３に示す壁構造では、厚さ１４mm、幅９１０mm、長さ３０３０mmで、右側端部ｂ１３と左側端部ｂ５３に実部を有さない木繊維補強セメント板Ｂ３を壁材として、ポリチオウレタン系目地処理材Ｃ３を弾性目地処理材として、厚さ０．２mm、幅５０mmで、表面に貫通した開口ｄ２を１cm２あたり９個有するポリエステル製シートＤ２を網目状体として、アクリル系弾性塗材Ｅ３を弾性塗材として用いており、弾性目地処理材充填用ポケットの形状と、ポリエステル製シートＤ２の開口数と、アクリル系弾性塗材Ｅ３の量が、図１に示す壁構造と異なる。
まず、２枚の木繊維補強セメント板Ｂ３、Ｂ３を、互いの側端部を突き合わせた状態で、釘（図示せず）により下地材Ａに固定する。なお、木繊維補強セメント板Ｂ３は、右側端部ｂ１３の表面には、弾性目地処理材充填用傾斜部ｂ２３を有し、左側端部ｂ５３の表面には、弾性目地処理材充填用傾斜部ｂ６３を有する。弾性目地処理材充填用傾斜部ｂ２３と弾性目地処理材充填用傾斜部ｂ６３は、木繊維補強セメント板Ｂ３の表面から木繊維補強セメント板Ｂ３、Ｂ３の突き合わせ方向に向かって傾斜しており、３０mmの幅で、木繊維補強セメント板Ｂ３、Ｂ３の突き合わせ方向に沿って延びている。そして、木繊維補強セメント板Ｂ３の側端部の表面の高さは、木繊維補強セメント板Ｂ３の表面よりも１．５mm低い。そのため、木繊維補強セメント板Ｂ３、Ｂ３の互いの側端部を突き合わせることにより、突き合わせ部分の表面には、弾性目地処理材充填用傾斜部ｂ２３と弾性目地処理材充填用傾斜部ｂ６３により、木繊維補強セメント板Ｂ３の表面から木繊維補強セメント板Ｂ３、Ｂ３の突き合わせ方向に向かって傾斜しており、６０mmの幅で、突き合わせ部分に沿って延びた空間が形成される。該空間が弾性目地処理材充填用ポケットである。
次に、弾性目地処理材充填用ポケットに、ポリチオウレタン系目地処理材Ｃ３を配し、その上に該弾性目地処理材充填用ポケットの幅より小さい幅のポリエステル製シートＤ２を配置し、更にその上をポリチオウレタン系目地処理材Ｃ３で被覆する。なお、ポリチオウレタン系目地処理材Ｃ３は、該弾性目地処理材充填用ポケットを充填するようにのみ配する。それにより、弾性目地処理材充填用ポケットには、ポリチオウレタン系目地処理材Ｃ３が充填される。また、ポリエステル製シートＤ２は、表面に、貫通した開口ｄ２を１cm２あたり９個有しているが、開口ｄ２にも、ポリチオウレタン系目地処理材Ｃ３が充填される。そして、弾性目地処理材充填用ポケットを充填しているポリチオウレタン系目地処理材Ｃ３の表面の高さを、突き合わせられた木繊維補強セメント板Ｂ３、Ｂ３の表面の高さと揃える。
更に、木繊維補強セメント板Ｂ３、Ｂ３とポリチオウレタン系目地処理材Ｃ３の表面に、アクリル系弾性塗材Ｅ３を５kg／ｍ２以上となるように塗布して、木繊維補強セメント板Ｂ３、Ｂ３とポリチオウレタン系目地処理材Ｃ３の表面全てをアクリル系弾性塗材Ｅ３で覆う。なお、木繊維補強セメント板Ｂ３の表面を覆うアクリル系弾性塗材Ｅ３の表面の高さを、ポリチオウレタン系目地処理材Ｃ３の表面を覆うアクリル系弾性塗材Ｅ３の表面の高さと揃える。
よって、本参考例によれば、２枚の木繊維補強セメント板Ｂ３、Ｂ３は、互いにその側端部を突き合わせた状態で固定されているが、木繊維補強セメント板Ｂ３、Ｂ３の側端部の突き合わせ部分の表面には、弾性目地処理材充填用ポケットが形成されている。弾性目地処理材充填用ポケットは、木繊維補強セメント板Ｂ３の表面から木繊維補強セメント板Ｂ３、Ｂ３の突き合わせ方向に向かって傾斜しており、側端部の表面の高さは、木繊維補強セメント板Ｂ３の表面よりも１．５mm低く、かつ、６０mmの幅で、突き合わせ部分に沿って延びている。そして、弾性目地処理材充填用ポケットを充填するようにのみポリチオウレタン系目地処理材Ｃ３が配されており、ポリチオウレタン系目地処理材Ｃ３の表面の高さは、木繊維補強セメント板Ｂ３、Ｂ３の表面の高さと揃えてある。更に、木繊維補強セメント板Ｂ３、Ｂ３とポリチオウレタン系目地処理材Ｃ３の表面は、５kg／ｍ２以上の量のアクリル系弾性塗材Ｅ３により被覆されている。そのため、壁の表面には、木繊維補強セメント板Ｂ３、Ｂ３同士の突き合わせによる目地線が発生せず、無目地であるとともに、木繊維補強セメント板Ｂ３、Ｂ３の突き合わせ部分の不陸は小さい。また、木繊維補強セメント板Ｂ３、Ｂ３の側端部の突き合わせ部分に十分な量のポリチオウレタン系目地処理材Ｃ３が配置され、更にその上に十分な量のアクリル系弾性塗材Ｅ３が配置されることとなり、木繊維補強セメント板Ｂ３、Ｂ３の側端部の突き合わせ部分の経年の伸縮は抑えられ、アクリル系弾性塗材Ｅ３にはクラックが生じにくい。
更に、ポリチオウレタン系目地処理材Ｃ３の内部には、表面に、貫通した開口ｄ２を１cm２あたり９個有したポリエステル製シートＤ２が、開口ｄ２にポリチオウレタン系目地処理材Ｃ３が充填された状態で配置されているので、ポリチオウレタン系目地処理材Ｃ３とポリエステル製シートＤ２は一体化し、ポリチオウレタン系目地処理材Ｃ３が補強されて、木繊維補強セメント板Ｂ３、Ｂ３の側端部の突き合わせ部分の経年の伸縮はより抑えられ、アクリル系弾性塗材Ｅ３にはクラックが更に生じにくい。
【００２１】
図４は、本発明にかかる壁の施工方法の一実施例により施工された施工構造における壁材の突き合わせ部分付近の構造を示す斜視説明図である。
図４に示す壁構造では、厚さ１４mm、幅９１０mm、長さ３０３０mmで、右側端部ｂ１４に上実部を有し、左側端部ｂ５４に下実部を有する木繊維補強セメント板Ｂ４を壁材として、ポリチオウレタン系目地処理材Ｃ４を弾性目地処理材として、厚さ０．２mm、幅５０mmで、表面に貫通した開口ｄ１を１cm２あたり５個有するポリエステル製シートＤ１を網目状体として、アクリル系弾性塗材Ｅ４を弾性塗材として用いており、弾性目地処理材充填用ポケットの形状が図１に示す壁構造と異なる。
まず、右側端部ｂ１４に上実部を、左側端部ｂ５４に下実部を有する２枚の木繊維補強セメント板Ｂ４、Ｂ４を、互いの実部が合決りしている状態で、釘（図示せず）により下地材Ａに固定する。なお、木繊維補強セメント板Ｂ４は、右側端部の表面には、２８mmの幅で、木繊維補強セメント板Ｂ４、Ｂ４の突き合わせ方向に沿って延びており、木繊維補強セメント板Ｂ４の表面よりも０．５mm低い弾性目地処理材充填用凹部ｂ２４と、弾性目地処理材充填用凹部ｂ２４の内側端部から木繊維補強セメント板Ｂ４の表面に向かって垂直をなしている弾性目地処理材充填用垂直部ｂ３４と、弾性目地処理材充填用凹部ｂ２４の外側端部から木繊維補強セメント板Ｂ４の側端部に向かって、２mmの幅で傾斜をなしている弾性目地処理材充填用傾斜部ｂ４４を有する。更に、木繊維補強セメント板Ｂ４は、左側端部の表面には、２８mmの幅で、木繊維補強セメント板Ｂ４、Ｂ４の突き合わせ方向に沿って延びており、木繊維補強セメント板Ｂ４の表面よりも０．５mm低い弾性目地処理材充填用凹部ｂ６４と、弾性目地処理材充填用凹部ｂ６４の内側端部から木繊維補強セメント板Ｂ４の表面に向かって垂直をなしている弾性目地処理材充填用垂直部ｂ７４と、弾性目地処理材充填用凹部ｂ６４の外側端部から木繊維補強セメント板Ｂ４の側端部に向かって、２mmの幅で傾斜をなしている弾性目地処理材充填用傾斜部ｂ８４を有する。そのため、木繊維補強セメント板Ｂ４、Ｂ４の互いの側端部を突き合わせることにより、突き合わせ部分の表面には、弾性目地処理材充填用凹部ｂ２４と、弾性目地処理材充填用垂直部ｂ３４と、弾性目地処理材充填用傾斜部ｂ４４と、弾性目地処理材充填用凹部ｂ６４と、弾性目地処理材充填用垂直部ｂ７４と、弾性目地処理材充填用傾斜部ｂ８４により、６０mmの幅で、突き合わせ部分に沿って延びた空間が形成される。該空間が弾性目地処理材充填用ポケットである。
次に、弾性目地処理材充填用ポケットにポリチオウレタン系目地処理材Ｃ４を配し、その上に該弾性目地処理材充填用ポケットの幅より小さい幅のポリエステル製シートＤ１を配置し、更にその上をポリチオウレタン系目地処理材Ｃ４で被覆する。なお、弾性目地処理材充填用ポケットにおいて、木繊維補強セメント板Ｂ４、Ｂ４の側端部の突き合わせ部分は、弾性目地処理材充填用傾斜部ｂ４４と弾性目地処理材充填用傾斜部ｂ８４により、他の部分よりも更に表面が低く形成されているが、ポリチオウレタン系目地処理材Ｃ４を、該空間をも含む弾性目地処理材充填用ポケットを充填するようにのみ配する。それにより、弾性目地処理材充填用ポケットには、ポリチオウレタン系目地処理材Ｃ４が充填される。また、ポリエステル製シートＤ１は、表面に、貫通した開口ｄ１を１cm２あたり５個有しているが、開口ｄ１にも、ポリチオウレタン系目地処理材Ｃ４が充填される。そして、弾性目地処理材充填用ポケットを充填しているポリチオウレタン系目地処理材Ｃ４の表面の高さを、突き合わせられた木繊維補強セメント板Ｂ４、Ｂ４の表面の高さと揃える。
更に、木繊維補強セメント板Ｂ４、Ｂ４とポリチオウレタン系目地処理材Ｃ４の表面に、アクリル系弾性塗材Ｅ４を２kg／ｍ２以上となるように塗布して、木繊維補強セメント板Ｂ４、Ｂ４とポリチオウレタン系目地処理材Ｃ４の表面全てをアクリル系弾性塗材Ｅ４で覆う。なお、木繊維補強セメント板Ｂ４の表面を覆うアクリル系弾性塗材Ｅ４の表面の高さは、ポリチオウレタン系目地処理材Ｃ４の表面を覆うアクリル系弾性塗材Ｅ４の表面の高さと揃える。
よって、本発明によれば、２枚の木繊維補強セメント板Ｂ４、Ｂ４は、互いにその側端部を突き合わせた状態で固定されているが、木繊維補強セメント板Ｂ４、Ｂ４の側端部の突き合わせ部分の表面には、６０mmの幅で、突き合わせ部分に沿って延びた、木繊維補強セメント板Ｂ４の表面よりも低い弾性目地処理材充填用ポケットが形成されており、該弾性目地処理材充填用ポケットを充填するようにのみポリチオウレタン系目地処理材Ｃ４が配されている。そして、ポリチオウレタン系目地処理材Ｃ４の表面の高さは、木繊維補強セメント板Ｂ４、Ｂ４の表面の高さと揃えてあり、木繊維補強セメント板Ｂ４、Ｂ４とポリチオウレタン系目地処理材Ｃ４の表面は、２kg／ｍ２以上の量のアクリル系弾性塗材Ｅ４により被覆されている。そのため、壁の表面には、木繊維補強セメント板Ｂ４、Ｂ４同士の突き合わせによる目地線が発生せず、無目地であるとともに、木繊維補強セメント板Ｂ４、Ｂ４の突き合わせ部分の不陸は小さい。また、木繊維補強セメント板Ｂ４、Ｂ４の側端部の突き合わせ部分に十分な量のポリチオウレタン系目地処理材Ｃ４が配置され、更にその上に十分な量のアクリル系弾性塗材Ｅ４が配置されることとなり、木繊維補強セメント板Ｂ４、Ｂ４の側端部の突き合わせ部分の経年の伸縮は抑えられ、アクリル系弾性塗材Ｅ４にはクラックが生じにくい。
更に、ポリチオウレタン系目地処理材Ｃ４の内部には、表面に、貫通した開口ｄ１を１cm２あたり５個有したポリエステル製シートＤ１が、開口ｄ１にポリチオウレタン系目地処理材Ｃ４が充填された状態で配置されているので、ポリチオウレタン系目地処理材Ｃ４とポリエステル製シートＤ１は一体化し、ポリチオウレタン系目地処理材Ｃ４が補強されて、木繊維補強セメント板Ｂ４、Ｂ４の側端部の突き合わせ部分の経年の伸縮はより抑えられ、アクリル系弾性塗材Ｅ４にはクラックが更に生じにくい。
更に、弾性目地処理材充填用ポケットの内にある、木繊維補強セメント板Ｂ４、Ｂ４の側端部の突き合わせ部分は、弾性目地処理材充填用傾斜部ｂ４４と弾性目地処理材充填用傾斜部ｂ８４により、該弾性目地処理材充填用ポケットの他の部分よりも低く形成されているので、より多くの弾性目地処理材が配されることとなり、木繊維補強セメント板Ｂ４、Ｂ４の側端部の突き合わせ部分の経年の伸縮はより抑えられ、アクリル系弾性塗材Ｅ４にはクラックが更に生じにくい。
【００２２】
図５は、壁の施工方法の更に他の参考例により施工された施工構造における壁材の突き合わせ部分付近の構造を示す斜視説明図である。
図５に示す壁構造では、厚さ１４mm、幅９１０mm、長さ３０３０mmで、右側端部ｂ１５に上実部を有し、左側端部ｂ５５に下実部を有する木繊維補強セメント板Ｂ５を壁材として、ポリチオウレタン系目地処理材Ｃ５を弾性目地処理材として、厚さ０．２mm、幅５０mmで、表面に貫通した開口ｄ１を１cm２あたり５個有するポリエステル製シートＤ１を網目状体として、アクリル系弾性塗材Ｅ５を弾性塗材として用いており、弾性目地処理材充填用ポケットの形状が図２に示す壁構造と異なる。
まず、右側端部ｂ１５に上実部を、左側端部ｂ５５に下実部を有する２枚の木繊維補強セメント板Ｂ５、Ｂ５を、互いの実部が合決りしている状態で、釘（図示せず）により下地材Ａに固定する。なお、木繊維補強セメント板Ｂ５は、右側端部の表面には、２８mmの幅で、木繊維補強セメント板Ｂ５、Ｂ５の突き合わせ方向に沿って延びており、木繊維補強セメント板Ｂ５の表面よりも０．５mm低い弾性目地処理材充填用凹部ｂ２５と、４mmの幅で、弾性目地処理材充填用凹部ｂ２５の内側端部から木繊維補強セメント板Ｂ５の表面に向かって傾斜をなしている弾性目地処理材充填用傾斜部ｂ３５と、弾性目地処理材充填用凹部ｂ２５よりも２mm低く、弾性目地処理材充填用凹部ｂ２５と木繊維補強セメント板Ｂ５の側端部の間に、２mmの幅で形成された弾性目地処理材充填用凹部ｂ４５を有する。更に、木繊維補強セメント板Ｂ５は、左側端部の表面には、２８mmの幅で、木繊維補強セメント板Ｂ５、Ｂ５の突き合わせ方向に沿って延びており、木繊維補強セメント板Ｂ５の表面よりも０．５mm低い弾性目地処理材充填用凹部ｂ６５と、４mmの幅で、弾性目地処理材充填用凹部ｂ６５の内側端部から木繊維補強セメント板Ｂ５の表面に向かって傾斜をなしている弾性目地処理材充填用傾斜部ｂ７５と、弾性目地処理材充填用凹部ｂ６５よりも２mm低く、弾性目地処理材充填用凹部ｂ６５と木繊維補強セメント板Ｂ５の側端部との間に、２mmの幅で形成された弾性目地処理材充填用凹部ｂ８５を有する。そのため、木繊維補強セメント板Ｂ５、Ｂ５の互いの側端部を突き合わせることにより、突き合わせ部分の表面には、弾性目地処理材充填用凹部ｂ２５と、弾性目地処理材充填用傾斜部ｂ３５と、弾性目地処理材充填用凹部ｂ４５と、弾性目地処理材充填用凹部ｂ６５と、弾性目地処理材充填用傾斜部ｂ７５と、弾性目地処理材充填用凹部ｂ８５により、６８mmの幅で、突き合わせ部分に沿って延びた空間が形成されている。該空間が弾性目地処理材充填用ポケットである。
次に、弾性目地処理材充填用ポケットにポリチオウレタン系目地処理材Ｃ５を配し、その上に該弾性目地処理材充填用ポケットの幅より小さい幅のポリエステル製シートＤ１を配置し、更にその上をポリチオウレタン系目地処理材Ｃ５で被覆する。なお、弾性目地処理材充填用ポケットにおいて、木繊維補強セメント板Ｂ５、Ｂ５の側端部の突き合わせ部分は、弾性目地処理材充填用凹部ｂ４５と弾性目地処理材充填用凹部ｂ８５により、他の部分よりも更に表面が低く形成されているが、ポリチオウレタン系目地処理材Ｃ５を、該空間をも含む弾性目地処理材充填用ポケットを充填するようにのみ配する。それにより、弾性目地処理材充填用ポケットには、ポリチオウレタン系目地処理材Ｃ５が充填される。また、ポリエステル製シートＤ１は、表面に、貫通した開口ｄ１を１cm２あたり５個有しているが、開口ｄ１にも、ポリチオウレタン系目地処理材Ｃ５が充填される。そして、弾性目地処理材充填用ポケットを充填しているポリチオウレタン系目地処理材Ｃ５の表面の高さを、突き合わせられた木繊維補強セメント板Ｂ５、Ｂ５の表面の高さと揃える。
更に、木繊維補強セメント板Ｂ５、Ｂ５とポリチオウレタン系目地処理材Ｃ５の表面に、アクリル系弾性塗材Ｅ５を２kg／ｍ２以上となるように塗布して、木繊維補強セメント板Ｂ５、Ｂ５とポリチオウレタン系目地処理材Ｃ５の表面全てをアクリル系弾性塗材Ｅ５で覆う。なお、木繊維補強セメント板Ｂ５の表面を覆うアクリル系弾性塗材Ｅ５の表面の高さは、ポリチオウレタン系目地処理材Ｃ５の表面を覆うアクリル系弾性塗材Ｅ５の表面の高さと揃える。
よって、本参考例によれば、２枚の木繊維補強セメント板Ｂ５、Ｂ５は、互いにその側端部を突き合わせた状態で固定されているが、木繊維補強セメント板Ｂ５、Ｂ５の側端部の突き合わせ部分の表面には、６８mmの幅で、突き合わせ部分に沿って延びた、木繊維補強セメント板Ｂ５の表面よりも低い弾性目地処理材充填用ポケットが形成されており、該弾性目地処理材充填用ポケットを充填するようにのみポリチオウレタン系目地処理材Ｃ５が配されている。そして、ポリチオウレタン系目地処理材Ｃ５の表面の高さは、木繊維補強セメント板Ｂ５、Ｂ５の表面の高さと揃えてあり、木繊維補強セメント板Ｂ５、Ｂ５とポリチオウレタン系目地処理材Ｃ５の表面は、２kg／ｍ２以上の量のアクリル系弾性塗材Ｅ５により被覆されている。そのため、壁の表面には、木繊維補強セメント板Ｂ５、Ｂ５同士の突き合わせによる目地線が発生せず、無目地であるとともに、木繊維補強セメント板Ｂ５、Ｂ５の突き合わせ部分の不陸は小さい。また、木繊維補強セメント板Ｂ５、Ｂ５の側端部の突き合わせ部分に十分な量のポリチオウレタン系目地処理材Ｃ５が配置され、更にその上に十分な量のアクリル系弾性塗材Ｅ５が配置されることとなり、木繊維補強セメント板Ｂ５、Ｂ５の側端部の突き合わせ部分の経年の伸縮は抑えられ、アクリル系弾性塗材Ｅ５にはクラックが生じにくい。
更に、ポリチオウレタン系目地処理材Ｃ５の内部には、表面に、貫通した開口ｄ１を１cm２あたり５個有したポリエステル製シートＤ１が、開口ｄ１にポリチオウレタン系目地処理材Ｃ５が充填された状態で配置されているので、ポリチオウレタン系目地処理材Ｃ５とポリエステル製シートＤ１は一体化し、ポリチオウレタン系目地処理材Ｃ５が補強されて、木繊維補強セメント板Ｂ５、Ｂ５の側端部の突き合わせ部分の経年の伸縮はより抑えられ、アクリル系弾性塗材Ｅ５にはクラックが更に生じにくい。
更に、弾性目地処理材充填用ポケットの内にある、木繊維補強セメント板Ｂ５、Ｂ５の側端部の突き合わせ部分は、弾性目地処理材充填用凹部ｂ４５と弾性目地処理材充填用凹部ｂ８５により、該弾性目地処理材充填用ポケットの他の部分よりも低く形成されているので、より多くの弾性目地処理材が配されることとなり、木繊維補強セメント板Ｂ５、Ｂ５の側端部の突き合わせ部分の経年の伸縮はより抑えられ、アクリル系弾性塗材Ｅ５にはクラックが更に生じにくい。
【００２３】
図６は、壁の施工方法の更に他の参考例により施工された施工構造における壁材の突き合わせ部分付近の構造を示す斜視説明図である。
図６に示す壁構造では、厚さ１４mm、幅９１０mm、長さ３０３０mmで、右側端部ｂ１６と左側端部ｂ５６に実部を有さない木繊維補強セメント板Ｂ６を壁材として、ポリチオウレタン系目地処理材Ｃ６を弾性目地処理材として、厚さ０．２mm、幅５０mmで、表面に貫通した開口ｄ２を１cm２あたり９個有するポリエステル製シートＤ２を網目状体として、アクリル系弾性塗材Ｅ６を弾性塗材として用いており、弾性目地処理材充填用ポケットの形状が図３に示す壁構造と異なる。
まず、２枚の木繊維補強セメント板Ｂ６、Ｂ６を、互いの側端部を突き合わせた状態で、釘（図示せず）により下地材Ａに固定する。なお、木繊維補強セメント板Ｂ６は、右側端部ｂ１６の表面には、弾性目地処理材充填用傾斜部ｂ２６と弾性目地処理材充填用傾斜部ｂ４６を有し、左側端部ｂ５３の表面には、弾性目地処理材充填用傾斜部ｂ６６と弾性目地処理材充填用傾斜部ｂ８６を有する。弾性目地処理材充填用傾斜部ｂ２６と弾性目地処理材充填用傾斜部ｂ６６は、木繊維補強セメント板Ｂ６の表面から木繊維補強セメント板Ｂ６、Ｂ６の突き合わせ方向に向かって傾斜しており、側端部の表面の高さは、木繊維補強セメント板Ｂ６の表面よりも１．５mm低く、２８mmの幅で、木繊維補強セメント板Ｂ６の突き合わせ方向に沿って延びている。弾性目地処理材充填用傾斜部ｂ４６と弾性目地処理材充填用傾斜部ｂ８６は、弾性目地処理材充填用傾斜部ｂ２６、弾性目地処理材充填用傾斜部ｂ６６の外側端部から木繊維補強セメント板Ｂ６の側端部に向かって、２mmの幅で傾斜をなしている。そのため、木繊維補強セメント板Ｂ６、Ｂ６の互いの側端部を突き合わせることにより、突き合わせ部分の表面には、弾性目地処理材充填用傾斜部ｂ２６と、弾性目地処理材充填用傾斜部ｂ４６と、弾性目地処理材充填用傾斜部ｂ６６と、弾性目地処理材充填用傾斜部ｂ８６により、６０mmの幅で、突き合わせ部分に沿って延びた空間が形成される。該空間が弾性目地処理材充填用ポケットである。
次に、弾性目地処理材充填用ポケットに、ポリチオウレタン系目地処理材Ｃ６を配し、その上に該弾性目地処理材充填用ポケットの幅より小さい幅のポリエステル製シートＤ２を配置し、更にその上をポリチオウレタン系目地処理材Ｃ６で被覆する。なお、弾性目地処理材充填用ポケットにおいて、木繊維補強セメント板Ｂ６、Ｂ６の側端部の突き合わせ部分は、弾性目地処理材充填用傾斜部ｂ４６と弾性目地処理材充填用傾斜部ｂ８６により、他の部分よりも更に表面が低く形成されているが、ポリチオウレタン系目地処理材Ｃ６を、該空間をも含む弾性目地処理材充填用ポケットを充填するようにのみ配する。それにより、弾性目地処理材充填用ポケットには、ポリチオウレタン系目地処理材Ｃ６が充填される。また、ポリエステル製シートＤ２は、表面に、貫通した開口ｄ２を１cm２あたり９個有しているが、開口ｄ２にも、ポリチオウレタン系目地処理材Ｃ６が充填される。そして、弾性目地処理材充填用ポケットを充填しているポリチオウレタン系目地処理材Ｃ６の表面の高さを、突き合わせられた木繊維補強セメント板Ｂ６、Ｂ６の表面の高さと揃える。
更に、木繊維補強セメント板Ｂ６、Ｂ６とポリチオウレタン系目地処理材Ｃ６の表面に、アクリル系弾性塗材Ｅ６を５kg／ｍ２以上となるように塗布して、木繊維補強セメント板Ｂ６、Ｂ６とポリチオウレタン系目地処理材Ｃ６の表面全てをアクリル系弾性塗材Ｅ６で覆う。なお、木繊維補強セメント板Ｂ６の表面を覆うアクリル系弾性塗材Ｅ６の表面の高さは、ポリチオウレタン系目地処理材Ｃ６の表面を覆うアクリル系弾性塗材Ｅ６の表面の高さと揃える。
よって、本参考例によれば、２枚の木繊維補強セメント板Ｂ６、Ｂ６は、互いにその側端部を突き合わせた状態で固定されているが、木繊維補強セメント板Ｂ６、Ｂ６の側端部の突き合わせ部分の表面には、６０mmの幅で、突き合わせ部分に沿って延びた、木繊維補強セメント板Ｂ６の表面よりも低い弾性目地処理材充填用ポケットが形成されており、該弾性目地処理材充填用ポケットを充填するようにのみポリチオウレタン系目地処理材Ｃ６が配されている。そして、ポリチオウレタン系目地処理材Ｃ６の表面の高さは、木繊維補強セメント板Ｂ６、Ｂ６の表面の高さと揃えてあり、木繊維補強セメント板Ｂ６、Ｂ６とポリチオウレタン系目地処理材Ｃ６の表面は、５kg／ｍ２以上の量のアクリル系弾性塗材Ｅ６により被覆されている。そのため、壁の表面には、木繊維補強セメント板Ｂ６、Ｂ６同士の突き合わせによる目地線が発生せず、無目地であるとともに、木繊維補強セメント板Ｂ６、Ｂ６の突き合わせ部分の不陸は小さい。また、木繊維補強セメント板Ｂ６、Ｂ６の側端部の突き合わせ部分に十分な量のポリチオウレタン系目地処理材Ｃ６が配置され、更にその上に十分な量のアクリル系弾性塗材Ｅ６が配置されることとなり、木繊維補強セメント板Ｂ６、Ｂ６の側端部の突き合わせ部分の経年の伸縮は抑えられ、アクリル系弾性塗材Ｅ６にはクラックが生じにくい。
更に、ポリチオウレタン系目地処理材Ｃ６の内部には、表面に、貫通した開口ｄ２を１cm２あたり９個有したポリエステル製シートＤ２が、開口ｄ２にポリチオウレタン系目地処理材Ｃ６が充填された状態で配置されているので、ポリチオウレタン系目地処理材Ｃ６とポリエステル製シートＤ２は一体化し、ポリチオウレタン系目地処理材Ｃ６が補強されて、木繊維補強セメント板Ｂ６、Ｂ６の側端部の突き合わせ部分の経年の伸縮はより抑えられ、アクリル系弾性塗材Ｅ６にはクラックが更に生じにくい。
更に、弾性目地処理材充填用ポケットの内にある、木繊維補強セメント板Ｂ６、Ｂ６の側端部の突き合わせ部分は、弾性目地処理材充填用傾斜部ｂ４６と弾性目地処理材充填用傾斜部ｂ８６により、該弾性目地処理材充填用ポケットの他の部分よりも低く形成されているので、より多くの弾性目地処理材が配されることとなり、木繊維補強セメント板Ｂ６、Ｂ６の側端部の突き合わせ部分の経年の伸縮はより抑えられ、アクリル系弾性塗材Ｅ６にはクラックが更に生じにくい。
【００２４】
以上に本発明の一実施形態について説明したが、本発明はこれに限定されず、特許請求の範囲に記載の発明の範囲において種々の変形態を取り得る。
【産業上の利用可能性】
【００２５】
以上説明したように、本発明によれば、複数の壁材が側端部を突き合わせた状態で固定され、該壁材の表面は弾性塗材に被覆されて無目地であるにもかかわらず、該壁材の突き合わせ部分の不陸が小さい壁の施工方法を提供することができる。
【符号の説明】
【００２６】
Ａ                下地材
Ｂ１〜Ｂ６        木繊維補強セメント板
Ｃ１〜Ｃ６        ポリチオウレタン系目地処理材
Ｄ１、Ｄ２        ポリエステル製シート
Ｅ１〜Ｅ６        アクリル系弾性塗材
ｂ１１〜ｂ１６    木繊維補強セメント板の右側端部
ｂ５１〜ｂ５６    木繊維補強セメント板の左側端部
ｂ２１、ｂ２２、ｂ２４、ｂ２５、ｂ６１、ｂ６２、ｂ６４、ｂ６５    弾性目地処理材充填用凹部
ｂ４５、ｂ８５    弾性目地処理材充填用凹部
ｂ３１、ｂ３４、ｂ７１、ｂ７４    弾性目地処理材充填用垂直部
ｂ２３、ｂ２６、ｂ６３、ｂ６６    弾性目地処理材充填用傾斜部
ｂ３２、ｂ３５、ｂ７２、ｂ７５    弾性目地処理材充填用傾斜部
ｂ４４、ｂ４６、ｂ８４、ｂ８６    弾性目地処理材充填用傾斜部
ｄ１、ｄ２        ポリエステル製シートの開口
【図１】
0005580008.tif 000002
【図２】
0005580008.tif 000003
【図３】
0005580008.tif 000004
【図４】
0005580008.tif 000005
【図５】
0005580008.tif 000006
【図６】
0005580008.tif 000007